(57)【要約】【課題】  生花等の収容物を保持して安定した状態で包装することができ、容易に分解及び組立てをすることができる組立式箱の提供。【解決手段】  前側板５、右側板６、後側板７及び左側板８と、左右両側板８，６の下縁部に折り目を介して一体に形成され、折り畳み用折り目３１を有する折り畳み底板１１，１２と、前後両側板５，７の下縁部に折り目を介して一体に形成された重ね合わせ板１５，１６と、箱内底部に配置された収容物保持部２０とを備え、収容物保持部２０は、保持板４３と、支持板４５とをもって構成し、折り畳み底板と重ね合わせ板とを連結してなる底板部を互いに噛み合わせて底板となし、隣り合う側板を重ねて畳むことにより、底板部が側板間に折り込まれるとともに、保持板と支持板とが互いに重なり合って側板間に折り込まれる。【選択図】  図５
2006240665.tif 000002
【特許請求の範囲】
【請求項１】
折り目を介して連接された前側板、右側板、後側板及び左側板と、互いに対向配置にある前記左右両側板の下縁部に折り目を介して一体に形成され、側板側隅部より斜めに向けた折り畳み用折り目を有する一対の折り畳み底板と、前記前後両側板の下縁部に折り目を介して一体に形成された一対の重ね合わせ板と、箱内底部に配置された収容物保持部とを備え、
前記収容物保持部は、一方の端部を左側板又は右側板に回動可能に支持させ、収容物が挿入保持される収容物保持孔を有する保持板と、該保持板の前記左側板又は右側板とは反対側の縁部に折り目を介して一体に形成され、その折り目とは反対側の端部を折り畳み底板に回動可能に支持させた支持板とをもって前記左側板又は右側板と前記折り畳み底板とに跨って形成され、
箱の組立てに際し隣り合う側板を相互に立たせることに連動して、前記折り畳み底板と隣り合う一方の重ね合わせ板とを連結してなる一対の底板部が互いに噛み合わされて底板となし、箱内底部に収容物保持部を有する箱状に組立てられ、
解体に際し隣り合う側板を重ねて畳むことにより、前記底板部が前記折り畳み用折り目より折れて前記側板間に折り込まれるとともに、前記保持板と前記支持板とが互いに重なり合って前記側板間に折り込まれて全体形状を平板状となす組立式箱。
【請求項２】
両底板部は、それぞれ折り畳み底板の噛み合わせ部に引っ掛け切れ目を備えるとともに、一方の底板部に前記引っ掛け切れ目と連続したストッパー用切れ目を設け、前記両引っ掛け切れ目を噛み合わせ、前記ストッパー用切れ目と他方の底板部の引っ掛け切れ目縁部とが互いに嵌まり合うようにした請求項１に記載の組立式箱。
【請求項３】
側板の上縁部に折り目を介して一体に形成され、互いに重なり合う上側フラップ板及び下側フラップ板を備え、前記下側フラップ板に係止孔を形成するとともに、前記上側フラップ板に前記係止孔と互いに係合する切り起し片を切れ目を入れることにより形成した請求項１又は２に記載の組立式箱。
【請求項４】
下側フラップ板の両側縁に、上側フラップ板の折り目側縁部に形成された係止用孔に係止される係止突起を備えた請求項３に記載の組立式箱。
【請求項５】
収容物保持孔の開口縁部に保持される保水袋を備えた請求項１〜３又は４に記載の組立式箱。
【請求項６】
保水袋は、上部に開口した袋本体と、該袋本体の開口縁部に支持された支持用鍔部とを備え、前記袋本体が、不透水性の外袋材と、外袋材の内側に重ね合わされる保水性を有する内袋材とをもって構成された請求項５に記載の組立式箱。
【発明の詳細な説明】
【技術分野】
【０００１】
本発明は、主に切花束等の梱包に用いられる組立式箱に関する。
【背景技術】
【０００２】
従来、生花は茎部を束ねて生花束とし、それを段ボール箱に詰めて出荷を行っていたが、運搬途中で生花束が段ボール箱内を移動して花や葉が段ボール箱の内壁に当たって傷ついてしまうという問題があった。
【０００３】
そこで、底部に生花の茎部が挿入保持される収容物保持部を備え、生花束が箱内で移動しないように収容物保持部に保持させた状態で包装することができる箱が提供されている（例えば、特許文献１を参照）。
【０００４】
また、底部に収容物保持部を設けた箱を使用することによって、鉢植えや端部を輸送用容器等に収容した生花の束も安定した状態で包装することができるようになっている（例えば、特許文献２を参照）。
【特許文献１】実開平６−２２２８７号公報
【特許文献２】特開２００１−３４００２６号公報
【発明の開示】
【発明が解決しようとする課題】
【０００５】
しかし、上述の如き従来の技術では、収容物保持部を設けたことによって箱全体の構成が複雑化し、箱の組立てや分解に手間がかかり、作業効率が悪いという問題があった。
【０００６】
そこで本発明は、上述の従来技術の問題を鑑み、生花等の収容物を保持して安定した状態で包装することができ、容易に分解及び組立てをすることができる組立式箱の提供を目的とする。
【課題を解決するための手段】
【０００７】
上述の如き従来の問題を解決し、所期の目的を達成するための請求項１に記載の発明は、折り目を介して連接された前側板、右側板、後側板及び左側板と、互いに対向配置にある前記左右両側板の下縁部に折り目を介して一体に形成され、側板側隅部より斜めに向けた折り畳み用折り目を有する一対の折り畳み底板と、前記前後両側板の下縁部に折り目を介して一体に形成された一対の重ね合わせ板と、箱内底部に配置された収容物保持部とを備え、前記収容物保持部は、一方の端部を左側板又は右側板に回動可能に支持させ、収容物が挿入保持される収容物保持孔を有する保持板と、該保持板の前記左側板又は右側板とは反対側の縁部に折り目を介して一体に形成され、その折り目とは反対側の端部を折り畳み底板に回動可能に支持させた支持板とをもって前記左側板又は右側板と前記折り畳み底板とに跨って形成され、箱の組立に際し隣り合う側板を相互に立たせることに連動して、前記折り畳み底板と隣り合う一方の重ね合わせ板とを連結してなる一対の底板部が互いに噛み合わされて底板となし、箱内底部に収容物保持部を有する箱状に組立てられ、解体に際し隣り合う側板を重ねて畳むことにより、前記底板部が前記折り畳み用折り目より折れて前記側板間に折り込まれるとともに、前記保持板と前記支持板とが互いに重なり合って前記側板間に折り込まれて全体形状を平板状となす組立式箱であることを特徴とする。
【０００８】
請求項２に記載の発明は、請求項１の構成に加え、両底板部は、それぞれ折り畳み底板の噛み合わせ部に引っ掛け切れ目を備えるとともに、一方の底板部に前記引っ掛け切れ目と連続したストッパー用切れ目を設け、前記両引っ掛け切れ目を噛み合わせ、前記ストッパー用切れ目と他方の底板部の引っ掛け切れ目縁部とが互いに嵌まり合うようにしたことを特徴とする。
【０００９】
請求項３に記載の発明は、請求項１又は２の構成に加え、側板の上縁部に折り目を介して一体に形成され、互いに重なり合う上側フラップ板及び下側フラップ板を備え、前記下側フラップ板に係止孔を形成するとともに、前記上側フラップ板に前記係止孔と互いに係合する切り起し片を切れ目を入れることにより形成したことを特徴とする。
【００１０】
請求項４に記載の発明は、請求項３の構成に加え、下側フラップ板の両側縁に、上側フラップ板の折り目側縁部に形成された係止用孔に係止される係止突起を備えたことを特徴とする。
【００１１】
請求項５に記載の発明は、請求項１〜３又は４の構成に加え、収容物保持孔の開口縁部に保持される保水袋を備えたことを特徴とする。
【００１２】
請求項６に記載の発明は、請求項５の構成に加え、保水袋は、上部に開口した袋本体と、該袋本体の開口縁部に支持された支持用鍔部とを備え、前記袋本体が、不透水性の外袋材と、外袋材の内側に重ね合わされる保水性を有する内袋材とをもって構成されたことを特徴とする。
【発明の効果】
【００１３】
本発明に係る組立式箱は、折り目を介して連接された前側板、右側板、後側板及び左側板と、互いに対向配置にある前記左右両側板の下縁部に折り目を介して一体に形成され、側板側隅部より斜めに向けた折り畳み用折り目を有する一対の折り畳み底板と、前記前後両側板の下縁部に折り目を介して一体に形成された一対の重ね合わせ板と、箱内底部に配置された収容物保持部とを備え、前記収容物保持部は、一方の端部を左側板又は右側板に回動可能に支持させ、収容物が挿入保持される収容物保持孔を有する保持板と、該保持板の前記左側板又は右側板とは反対側の縁部に折り目を介して一体に形成され、その折り目とは反対側の端部を折り畳み底板に回動可能に支持させた支持板とをもって前記左側板又は右側板と前記折り畳み底板とに跨って形成され、箱の組立に際し隣り合う側板を相互に立たせることに連動して、前記折り畳み底板と隣り合う一方の重ね合わせ板とを連結してなる一対の底板部が互いに噛み合わされて底板となし、箱内底部に収容物保持部を有する箱状に組立てられ、解体に際し隣り合う側板を重ねて畳むことにより、前記底板部が前記折り畳み用折り目より折れて前記側板間に折り込まれるとともに、前記保持板と前記支持板とが互いに重なり合って前記側板間に折り込まれて全体形状を平板状となすことによって、ことによって、内部に収容物を保持する収容物保持部を有する箱状に容易且つスピーディに組立てることができ、側板に連動して底板部が平板状に折り込まれるとともに、底板部に連動して収容部保持部を構成する保持板及び支持板が平板状に折り畳まれることによって容易且つスピーディに平板状に解体することができ、作業の効率が向上する。
【００１４】
両底板部は、それぞれ折り畳み底板の噛み合わせ部に引っ掛け切れ目を備えるとともに、一方の底板部に前記引っ掛け切れ目と連続したストッパー用切れ目を設け、前記両引っ掛け切れ目を噛み合わせ、前記ストッパー用切れ目と他方の底板部の引っ掛け切れ目縁部とが互いに嵌まり合うようにしたことによって、箱を組立てた際に、箱底部が容易に分解せず、安定した箱状に維持でき、箱全体の横方向圧縮強度、捩れ強度等が向上し、高い強度が得られる。
【００１５】
側板の上縁部に折り目を介して一体に形成され、互いに重なり合う上側フラップ板及び下側フラップ板を備え、前記下側フラップ板に係止孔を形成するとともに、前記上側フラップ板に前記係止孔と互いに係合する切り起し片を切れ目を入れることにより形成したことによって、ステープルや粘着テープを使用せずに、好適に天板部を形成することができる。
【００１６】
下側フラップ板の両側縁に、上側フラップ板の折り目側縁部に形成された係止用孔に係止される係止突起を備えたことによって、下側フラップ板が左右側板に安定した状態で支持され、係止孔に対する切り起し片の着脱を安定した状態で好適に行うことができる。
【００１７】
収容物保持孔の開口縁部に保持される保水袋を備えたことによって、花等の収容物の鮮度を保った状態で包装することができる。
【００１８】
保水袋は、上部に開口した袋本体と、該袋本体の開口縁部に支持された支持用鍔部とを備え、前記袋本体が、不透水性の外袋材と、外袋材の内側に重ね合わされる保水性を有する内袋材とをもって構成されたことによって、収容部保持部に好適に保持させることができるとともに、水漏れを防止することができる。
【発明を実施するための最良の形態】
【００１９】
次に、本発明に係る組立式箱について説明する。
【００２０】
図１は本発明に係る組立式箱の一例を示し、図中符号１は組立式箱である。
【００２１】
組立式箱１は、段ボール紙等の板紙材を図２に示す展開図の如く打ち抜き、それを切曲加工することにより箱状に形成されている。
【００２２】
この組立式箱１は、折り目２〜４を介して連接された前側板５、右側板６、後側板７及び左側板８と、左右両側板８，６の下縁部に折り目９，１０を介して一体に形成された折り畳み底板１１，１２と、前後両側板５，７の下縁に折り目１３，１４を介して一体に形成された重ね合わせ板１５，１６とを備え、折り畳み底板１１（１２）と重ね合わせ板１５（１６）とを連結した一対の底板部１７，１８を互いに噛み合わせることにより底板１９が形成されている。
【００２３】
また、箱内底部には、収容物Ａを保持するための収容物保持部２０が設けられている。
【００２４】
前側板５、後側板７、左側板８及び右側板６は、長方形状に形成され、左側板８の折り目４とは反対側の縁部には、折り目２１を介して連結板２２が一体に形成され、この連結板２２に前側板５の折り目２とは反対側の縁部が貼着されている。
【００２５】
前側板５は、横向き、即ち折り目２より反対側の縁部に向けた平行な一対の切れ目２３，２３を入れることにより扉部２４を備えている。
【００２６】
この扉部２４は、折り目２を軸として回動し、箱の前面部を開閉できるようになっている。
【００２７】
この扉部２４の折り目２とは反対側の縁部には、左側板８の前縁部に形成された係止孔２５に挿入して係止される係止片２６を折り目２７を介して一体に備え、折り目部に逆コ字状の切れ目を入れることにより係止片２６と一体につまみ部２８が形成されている。
【００２８】
尚、左側板８及び右側板６には、略中央部分に長穴状の指穴２９が形成されている。
【００２９】
折り畳み底板１１，１２は、平板状に形成され、折り目９，１０とは反対側の縁部に切欠状の噛み合い部３０が形成され、この噛み合い部３０には、引っ掛け切れ目５３が形成されている。
【００３０】
また、一方の折り畳み底板１２の引っ掛け切れ目５３には、連続配置にストッパー用切れ目５４が形成されている。
【００３１】
更に、この折り畳み底板１１，１２は、側板側の隅部より引っ掛け切れ目５３の端に向けた斜めの折り畳み用折線３１を有し、この折り畳み用折線３１より折り曲げられる貼着連結部３２を備えている。
【００３２】
重ね合わせ板１５，１６は、台形状に形成され、貼着連結部３２の内側に接着剤により貼り合わされている。尚、折れ線３１を跨いで配置された部分は、折り畳み底板１１，１２の内側に当接し、折り畳み底板１１，１２と重ね合わせ板１５，１６とからなる底板部が折線より外側に折曲がらないようにするストッパーとして機能するようになっている。
【００３３】
また、前側板５及び後側板７の上縁には、折り目３３を介して下側フラップ板３４が一体に形成され、左側板８及び右側板６の上縁には、折り目３５を介して上側フラップ板３６が一体に形成されており、上下両フラップ板３４，３６を重ね合わせて中央部が開口した天板部が形成されている。
【００３４】
下側フラップ板３４は、両側縁部に上側フラップ板３６の折り目側の縁部に形成された係止用孔３７，３７に係止される係止突部３８，３８が一体に形成されている。
【００３５】
また、下側フラップ板３４の上側フラップ板３６と重なり合う部分には、係止孔３９が形成されている。
【００３６】
この係止孔３９は、要側を側縁側に配置した扇形状に形成され、この扇形は、要側直線部の端と円弧部の端とを結ぶ両側内縁が互いに対称配置の円弧状に形成されている。
【００３７】
一方、上側フラップ板３６は、その折り目側縁部に、係止突部３８が挿入される折り目と平行な横向きスリット状の係止用孔３７，３７が形成されている。
【００３８】
また、この上側フラップ板３６の下側フラップ板３４と重なり合う部分には、係止孔３９の位置に合わせて切り起し片４０が切れ目を入れることにより形成されている。
【００３９】
この切り起し片４０は、折り目４１を要側とした扇形状に形成され、この扇形は、折り目端部と円弧端部とを結ぶ両側縁部が互いに対称配置の円弧状に形成されている。
【００４０】
そして、この切り起し片４０を指や器具等で下向き、即ち下側フラップ板側に押して折り目４１より下向きに起こすことによって、切り起し片４０を係止孔３９に挿入させ、係止させるようになっている。
【００４１】
また、係止孔３９及び切り起し片４０の両側縁部を円弧状に形成したことにより、好適な係止状態が得られるようになっている。
【００４２】
収容物保持部２０は、段ボール紙等の板厚紙材を図３に示す展開図の如く打ち抜き、折曲加工し、それを箱内底部に設置している。
【００４３】
収容物保持部２０は、生花束の茎部等の収容物Ａが挿入される収容物保持孔４２が形成された保持板４３と、保持板４３の一方の縁部に折り目４４を介して一体に形成された支持板４５とを備え、右側板６と折り畳み底板１１とに跨って形成されている。
【００４４】
保持板４３は、支持板４５とは反対側の縁部に折り目４６を介して接着片４７が一体に形成され、この接着片４７が図２に示す右側板６の内側面の貼り付け部４８、即ち図中斜線部分に貼り付けられることによって、保持板４３が側板６に回動可能に支持されている。尚、貼り付け部４８の位置は、箱底より支持板４５の長さ分だけ離れた位置となっている。
【００４５】
支持板４５は、保持板４３の縁部に切れ目４９を入れることによって長方形状に形成され、折り目４４より折り曲げられるようになっている。
【００４６】
また、支持板４５の折り目４４とは反対側の縁部には、折り目５０を介して接着片５１が一体に形成されており、この接着片５１が図２に示す折り畳み底板１１の内側面の貼り付け部５２、即ち図中斜線部分に貼り付けられることによって、支持板４５が折り畳み底板１１に回動可能に支持されている。尚、貼り付け部５２の位置は、折り目９より両折り目４４，４６間距離分だけ離れた位置となっている。
【００４７】
このように構成された組立式箱１は、隣り合う側板を互いに直交配置にすることにより箱型に組立てられ、各側板５，６，７，８に連動して底板部１７，１８が自動的に平板状に広がり、図４に示すように、噛み合い部３０，３０が互いに噛み合わさるとともに、両引っ掛け切れ目５３，５３が互いに噛み合わされ、ストッパー用切れ目５４と他方の底板部１１の引っ掛け切れ目５３縁部とが互いに嵌り合わされ、両底板部１７，１８が容易に分解しない状態で相互に支持しあって底板を形成する。
【００４８】
また、折り畳み底板１１と右側板６とが略直角配置となるので、保持板４３が支持板４５に支持されて底板に対して平行に配置され、図５に示すように、箱内底部に自動的に収容物保持部２０が形成される。
【００４９】
更に、下側フラップ板３４，３４及び上側フラップ板３６，３６を内側に折曲げ、下側フラップ板３４，３４に上側フラップ板３６，３６を重ね、切り起し片４０を係止孔３９に係止させることによって、天板部が形成される。
【００５０】
一方、この組立式箱１を折り畳むには、図６に示すように、切り起し片４０を係止孔３９より取り外してフラップ板３４，３６を相互に自由にするとともに両底板部１７，１８の各折り畳み底板１１，１２の互いに噛み合った引っ掛け切れ目５３，５３及びストッパー用切れ目５４を取り外し、その状態で折り目２，４が両側縁となるように隣り合う側板を相互に重ね合わせ、即ち、前側板５と右側板６、後側板７と左側板８とを重ね、前側板５と左側板８、及び後側板７と右側板６とが平らになるように折り畳むことにより全体形状を平板状となす。
【００５１】
このとき、両底板部１７，１８が側板に連動して折り畳み用折れ線３１より折曲がって、側板５，６（７，８）間に折り込まれるとともに、折り畳み底板１１が右側板６の内面に重ね合わせて折り畳まれ、保持板４３と支持板４５とが折り目４４より折れ曲がり互いに重なり合って、図７に示すように、両側板の間、底板部と側板との間に折り込まれて、自動的に平板状になる。
【００５２】
尚、生花束は、図８に示すように、茎部Ａを保水袋６０に挿入し、該保水袋６０ごと収容物保持孔４２に挿入して収容物保持部２０に保持させることが好ましい。
【００５３】
この保水袋６０は、上部に開口した挿入口６１を有する袋状に形成された袋本体６２と、袋本体６２の挿入口縁部に支持され、挿入口と連続配置に形成された挿通孔６３を有する鍔状支持部６４とを備えている。
【００５４】
袋本体６２は、不透水性の外袋材と、外袋材の内側に重ね合わされる保水性を有する内袋材とをもって構成されており、内袋材に含水させ、そこに生花束の茎部Ａを挿入することにより生花束に水を供給しつつ搬送できるようになっている。
【００５５】
袋本体６２は、ポリエチレンテレフタレート、ポリエチレン又はポリプロピレン等、不透水性の合成樹脂シートからなる外袋材と、外袋材の内側に貼り合わされた吸水性を有する不織布からなる内袋材とをもって構成され、外袋材を構成する合成樹脂シートの片面に互いに平行配置に形成された多数の線状ラミネートを介して内袋材を構成する不織布を貼り合せたシート材を、その両縁部をヒートシールにより溶着させて筒状となし、挿入口６１を有する部分の両側部を内側に折り込んで平板状とした状態で、両開口端部をそれぞれヒートシールにより閉じることにより両側部に内側に折り込まれたまち部を有する袋状に形成されている。
【００５６】
このような保水袋６０を使用することにより、内袋材に含水させ、そこに生花束の茎部Ａを挿入することにより生花束に水を供給しつつ搬送でき、また、保水袋の両端部に貯留部が形成され、箱を横にしても貯留部のいずれかを下にすれば水が漏れないようになっている。
【００５７】
尚、保水袋の形態は、上述の実施例に限定されず、片側のみに貯留部を有する形状であってもよく、鍔状支持部を設けずに直接保持板に固定するようにしてもよい。
【図面の簡単な説明】
【００５８】
【図１】本発明に係る組立式箱の一例を示す斜視図である。
【図２】図１中の箱本体の展開図である。
【図３】同上の収容物保持部の展開図である。
【図４】同上の底面図である。
【図５】図１中の組立式箱を示す縦断面図である。
【図６】同上の組立式箱を折り畳む際の状態を示す底面図である。
【図７】同上の組立式箱の折り畳んだ状態を示す部分拡大断面図である。
【図８】収容物を収容した状態の一例を示す断面図である。
【符号の説明】
【００５９】
Ａ  収容物（茎部）
１  組立式箱
２〜４  折り目
５  前側板
６  右側板
７  後側板
８  左側板
９，１０  折り目
１１，１２  折り畳み底板
１３，１４  折り目
１５，１６  重ね合わせ板
１７，１８  底板部
１９  底板
２０  収容物保持部
２１  折り目
２２  連結板
２３  切れ目
２４  扉部
２５  係止孔
２６  係止片
２７  折り目
２８  つまみ部
２９  指穴
３０  切欠き
３１  折り畳み用折線
３２  貼着連結部
３３  折り目
３４  下側フラップ板
３５  折り目
３６  上側フラップ板
３７  係止用孔
３８  係止突部
３９  係止孔
４０  切り起し片
４１  折り目
４２  収容物保持孔
４３  保持板
４４  折り目
４５  支持板
４６  折り目
４７  接着片
４８  貼り付け部
４９  切れ目
５０  折り目
５１  接着片
５２  貼り付け部
５３  引っ掛け切れ目
５４  ストッパー用切れ目
【図１】
2006240665.tif 000003
【図２】
2006240665.tif 000004
【図３】
2006240665.tif 000005
【図４】
2006240665.tif 000006
【図５】
2006240665.tif 000007
【図６】
2006240665.tif 000008
【図７】
2006240665.tif 000009
【図８】
2006240665.tif 000010